(57)【要約】【課題】気温上昇の緩やかな季節は建物全体の自然換気により、居室内の温度を下げ、気温上昇の激しい季節は居室内はもとより最も熱気の溜まる小屋裏の空気を必要最低限の電力で強制的に換気するとともに冷たい空気の溜まる基礎部分から小屋裏に向かう空気の流れを作って建物全体を快適な温度に保つ躯体内換気システムを提供する。【解決手段】本発明は、課題を解決するため、建物の小屋裏に排気管と複数本の吸気管を備えたダクトファンを配置し、排気孔を設けた棟下には換気装置を有し一方が前記排気孔に連通し前記排気管の他端が挿通する棟換気ボックスを配置し、基礎には複数の基礎換気ボックスを配置して、各部屋の壁と外壁の間に通気層を設けて前記基礎と小屋裏を接続し、前記建物内の空気を吸気管の先端部より前記ダクトファンで吸引し、更に前記排気管を通して棟換気ボックスへ送り、前記排気孔から放出することを特徴とする躯体内換気システムとした。【選択図】図１
2011021833.tif 000002
【特許請求の範囲】
【請求項１】
小屋裏には排気管及び複数本の吸気管を備えたダクトファンを、棟の下には排気孔を有する換気装置を設けて一方が前記排気孔に連通し前記排気管の他端が挿通する棟換気ボックスを、基礎には複数の基礎換気ボックスを配置し、各部屋の壁と外壁の間に通気層を設けて前記基礎の基礎内と小屋裏を接続し、前記建物内の空気を吸気管の先端部より前記ダクトファンで吸引し、前記排気管を通して棟換気ボックスへ送り、前記排気孔から放出することを特徴とする躯体内換気システム。
【請求項２】
前記ダクトファンを、小屋裏に設置して小屋裏内の温度を感知するセンサーに接続した室内設置用の温度センサースイッチに連結されたコントロールスイッチと接続し、前記コントロールスイッチにより居室内から任意にダクトファンの運転、停止及び吸引力を制御可能であるとともに前記センサー及び温度センサースイッチの温度設定によりダクトファンの運転及び停止を自動制御可能であるダクトファンとしたことを特徴とする請求項１に記載の躯体内換気システム。
【請求項３】
前記ダクトファンを、接続された複数本の吸気管のうち１本の吸気管の先端を居住空間に接続し、残りの吸気管の各先端を小屋裏の隅々に配置して小屋裏及び居住空間の空気を吸引可能であるダクトファンとしたことを特徴とする請求項１又は請求項２のいずれかに記載の躯体内換気システム。
【請求項４】
前記棟換気ボックスを、複数の換気装置を有し、棟下に設置したことを特徴とする請求項１乃至請求項３のいずれか１項に記載の躯体内換気システム。
【請求項５】
前記基礎換気ボックスを、基礎の基礎内側に設置する換気装置と基礎外側に設置する基礎換気装置とからなり、前記基礎の換気装置取付孔に２〜３ｍ間隔で複数設置したことを特徴とする請求項１乃至請求項４のいずれか１項に記載の躯体内換気システム。
【請求項６】
前記換気装置を、平行且つ等間隔に配置した複数枚の開閉パネルと、前記開閉パネルに制御ピンを介して接続され温度変化により伸縮することで開閉パネルの開閉を自動制御する開閉制御機構と、前記開閉制御機構に取付けられ開閉制御機構の自動制御に代えて開閉パネルを任意に手動制御するスイッチと、カバーを取り付けるための複数の取付孔を備えた換気装置としたことを特徴とする請求項１乃至請求項５のいずれか１項に記載の躯体内換気システム。
【請求項７】
前記換気装置を、スイッチ窓及び表示窓を設けて背面に複数の取付突起を備えた大部分が格子状であるカバーを前記開閉パネル側に前記取付突起を開閉パネルに設けた取付孔に嵌着することで着脱可能に取付けたことを特徴とする請求項６に記載の躯体内換気システム。
【請求項８】
前記基礎換気装置を、複数の通風孔を備えた内壁及び前記通風孔を開閉するための開閉壁を備えたことを特徴とする請求項５乃至請求項７のいずれか１項に記載の躯体内換気システム。
【発明の詳細な説明】
【技術分野】
【０００１】
本発明は、建物内の熱を効果的に調節する躯体内換気システムに関する。
【背景技術】
【０００２】
従来、建物内の温度を保つ又は下げる方法としては、各部屋に冷暖房設備を設置し、室温の変化に応じて冷房や除湿等を行い、快適な温度を保っていた。
【０００３】
しかしながら、上記のような冷暖房設備では室温を下げて快適な温度を維持するために当該設備を稼動させ続けなければならず、夏場など温度上昇が激しい季節には一日中稼動させて多量の電力を使用し、家計を圧迫する要因となっていた。
【０００４】
また、上記のように多量の電力を使用することで発電量を増やすこととなり、更に発電量の増加に伴い二酸化炭素の排出量が増え、地球温暖化の原因となっていた。
【０００５】
以上のような問題を含んだ冷暖房設備の使用に対して、近年では夏場の温かい空気を自然換気させて室内の温度を下げ、冬場は大きなガラス窓から太陽光を取り込んで室内の温度を上げるパッシブソーラーシステムが利用されつつある。
【０００６】
しかしながら、前記パッシブソーラーシステムでは、無駄に電力を使用することがなく電力や廃棄熱などによる環境汚染を減らすメリットがある一方で、例えば夏場に室内の暖かい空気を自然換気により屋外へ排出させても小屋裏には熱気が充満したままとなっていることが多く、期待したほど居室内の温度が下がり、無駄な電力を使用しない快適な生活とは程遠いものであった。
【先行技術文献】
【特許文献】
【０００７】
【特許文献１】特開２００９−８３７０号公報
【発明の概要】
【発明が解決しようとする課題】
【０００８】
そこで、本発明は、気温上昇の緩やかな季節は建物全体の自然換気により、居室内の温度を下げ、気温上昇の激しい季節は居室内はもとより最も熱気の溜まる小屋裏の空気を必要最低限の電力で強制的に換気するとともに冷たい空気の溜まる基礎部分から小屋裏に向かう空気の流れを作って建物全体を快適な温度に保つ躯体内換気システムを提供する。
【課題を解決するための手段】
【０００９】
本発明は、上記の課題を解決するために、先ず、建物の小屋裏に排気管と複数本の吸気管を備えたダクトファン４を配置し、排気孔を設けた棟下には換気装置を有し一方が前記排気孔に連通し前記排気管の他端が挿通する棟換気ボックスを配置し、基礎には複数の基礎換気ボックスを配置して、各部屋の壁と外壁の間に通気層を設けて前記基礎の基礎内と小屋裏を接続し、前記建物内の空気を吸気管の先端部より前記ダクトファンで吸引し、更に前記排気管を通して棟換気ボックスへ送り、前記排気孔から放出することを特徴とする躯体内換気システムの構成とした。
【００１０】
また、前記ダクトファンを、小屋裏に設置して小屋裏内の温度を感知するセンサーに接続した室内設置用の温度センサースイッチに連結されたコントロールスイッチと接続し、前記コントロールスイッチにより居室内から任意にダクトファンの運転及び停止を制御可能であるとともに前記センサー及び温度センサースイッチの温度設定によりダクトファンの運転及び停止を自動制御可能であるダクトファンとしたことを特徴とする躯体内換気システムの構成とした。
【００１１】
また、前記ダクトファンを、接続された複数本の吸気管のうち１本の吸気管の先端を居住空間に接続し、残りの吸気管の各先端を小屋裏の隅々に配置して小屋裏及び居住空間の空気を吸引可能であるダクトファンとしたことを特徴とする躯体内換気システムの構成とした。
【００１２】
また、前記棟換気ボックスを、複数の換気装置を有し、棟下に設置したことを特徴とする躯体内換気システムの構成とした。
【００１３】
また、前記基礎換気ボックスを、基礎の基礎内側に設置する換気装置と基礎外側に設置する基礎換気装置とからなり、前記基礎の換気装置取付孔に２〜３ｍ間隔で複数設置したことを特徴とする躯体内換気システムとした。
【００１４】
また、前記換気装置を、平行且つ等間隔に配置した複数枚の開閉パネルと、前記開閉パネルに制御ピンを介して接続され温度変化により伸縮することで開閉パネルの開閉を自動制御する開閉制御機構と、前記開閉制御機構に取付けられ開閉制御機構の自動制御に代えて開閉パネルを任意に手動制御するスイッチと、カバーを取り付けるための複数の取付孔を備えた換気装置としたことを特徴とする躯体内換気システムとした。
【００１５】
また、前記換気装置を、スイッチ窓及び表示窓を設けて背面に複数の取付突起を備えた大部分が格子状であるカバーを前記開閉パネル側に前記取付突起を開閉パネルに設けた取付孔に嵌着することで着脱可能に取付けたことを特徴とする躯体内換気システムとした。
【００１６】
加えて、前記基礎換気装置を、複数の通風孔を備えた内壁及び前記通風孔を開閉するための開閉壁を備えたことを特徴とする躯体内換気システムとした。
【発明の効果】
【００１７】
従来よりも少量の電力で居室及び小屋裏内の熱気を屋外へ放出させて、基礎部分に停滞する冷たい空気が棟方向へ流れる気流を作ることで建物内の温度を適温に保つことができる。また、気温上昇の緩やかな季節においては、ダクトファンによる熱気の強制放出によらずに自然換気により建物内の温度を適温に保つことができる。
【図面の簡単な説明】
【００１８】
【図１】本発明である躯体内換気システムの全体を示した斜視図である。
【図２】本発明である躯体内換気システムの全体図である。
【図３】本発明である躯体内換気システムの一部拡大図である。
【図４】本発明である躯体内換気システムを構成する換気装置を示した図である。
【図５】本発明である躯体内換気システムの換気装置に取り付けるカバーを示した図である。
【図６】本発明である躯体内換気システムを構成する基礎換気装置を示した図である。
【図７】本発明である躯体内換気システムを取り入れた建物の基礎平面図である。
【発明を実施するための形態】
【００１９】
以下、添付の図面を参照し、本発明の実施の形態について詳細に説明する。
【実施例１】
【００２０】
図１は本発明である躯体内換気システムの全体を示した斜視図、図２は躯体内換気システムの全体図、図３は躯体内換気システムの一部拡大図、図４は躯体内換気システムを構成する換気装置を示した図、図５は躯体内換気システムの換気装置に取り付けるカバーを示した図、図６は躯体内換気システムを構成する基礎換気装置を示した図、図７は躯体内換気システムを取り入れた建物の基礎平面図である。
【００２１】
図１から図３に示すように、本発明である躯体内換気システム１は、建物２の小屋裏２ｂに排気管４ｂと複数本の吸気管４ａを備えたダクトファン４を配置し、排気孔２ｇを設けた棟２ｃ下には換気装置３ａを有し一方が前記排気孔２ｇに連通し前記排気管４ｂの他端が挿通する棟換気ボックス３を配置し、基礎２ｅには複数の基礎換気ボックス３ｃを配置して、各部屋２ｄの壁と外壁の間に通気層２ｉ、７ｂ、７ｅを設けて前記基礎２ｅの基礎内２ｈと小屋裏２ｂを接続し、前記建物２内の空気を吸気管４ａの先端部より前記ダクトファン４で吸引し、更に前記排気管４ｂを通して棟換気ボックス３へ送り、前記排気孔２ｇから放出する。
【００２２】
前記小屋裏２ｂに配置されるダクトファン４は排気管４ｂと複数本の吸気管４ａ、４ａ、４ａ・・・が接続されており、前記排気管４ｂの他端は棟換気ボックス３に接続されている。
【００２３】
前記複数本の吸気管４ａの内、ある一本の吸気管４ａの他端については、天井２ｆに接続されて、直接的に居室内の空気を吸い上げることができるように設置され、残りの吸気管４ａの他端については、小屋裏内気６ｂを効果的に吸い上げることができるように、小屋裏２ｂの様々な場所に設置されている。
【００２４】
また、前記ダクトファン４は、小屋裏２ｂに設置して小屋裏２ｂ内の温度を感知するセンサー５ｂに接続した室内設置用の温度センサースイッチ５ａに連結されたコントロールスイッチ５と接続し、前記コントロールスイッチ５により居室内から任意にダクトファンの運転、停止及び吸引力を制御可能であるとともに前記センサー及び温度センサースイッチ５ａの温度設定によりダクトファンの運転及び停止を自動制御可能である。
【００２５】
前記棟換気ボックス３は、複数の換気装置３ａを有しており、建物内の熱気が最も集まりやすい棟下に設置される。
【００２６】
前記棟換気ボックス３に接続されるダクトファン４からの排気管４ｂの先端は、棟換気ボックス３内の上部まで挿通して設置されており、図３に示すように、棟２ｃに設けた排気孔２ｇに最も近い位置に固定されている。
【００２７】
また、前記排気管４ｂの先端と排気孔２ｇの間に若干の隙間が設けられているため、換気装置３ａを通して棟換気ボックス３内に流れ込んだ小屋裏内気６ｂは、排気管４ｂから放出され排気孔２ｇに向かって流れる気流で生じる負圧により吸い上げられて排気管４ｂから放出される空気と共に排気孔２ｇから屋外へ放出される。尚、図３上では屋外に放出される空気を排気６ｃとした。
【００２８】
図１から図３に示すように、部屋２ｄと他の部屋２ｄ間には通気層２ｉが設けられ、また部屋２ｄと外壁の間には内側通気層７ｅ及び外側通気層７ｂが設けられ、更に屋根２ａ部分には屋根裏通気層７ｎが設けられている。
【００２９】
前記通気層２ｉと内側通気層７ｅにより内気６ａは基礎内２ｈと小屋裏内気６ｂを移動することができ、前述のように小屋裏内気６ｂがダクトファン４や棟換気ボックス３により屋外へ放出されると、基礎内２ｈの内気６ａが通気層２ｉや内側通気層７ｅ内を上昇し小屋裏２ｂへ移動する。
【００３０】
このように比較的温度の低い基礎内２ｈの内気６ａが小屋裏２ｂへ吸い上げられることにより小屋裏２ｂの温度が下がり、建物の温度が下がる。
【００３１】
尚、ダクトファン４の運転及び停止の調節については、前述の通り部屋２ｄ内に設置したコントロールスイッチ５で操作することができ、また、小屋裏２ｂに設置したセンサー５ｂや部屋２ｄ内に設置した温度センサースイッチ５ａを設定することにより自動でダクトファン４を運転及び停止の調節させることができる。
【００３２】
また、上述のような建物２内の内気６ａが棟換気ボックス３から屋外へ放出される以外に、外壁のうち耐力面材７ｃとエアーシート７ａの間には外側通気層７ｂ（外部胴縁７ｑ）が設けられ、更に屋根２ａ部分の野地板７ｍと断熱材７ｏの間には屋根裏通気層７ｎが設けられており、建物２を構成する材料間にも空気が停滞しない構造となっている。
【００３３】
前記外側通気層７ｂの上下端は開口しており、上端は前記屋根裏通気層７ｎの下部と連通している。従って、外側通気層７ｂの下端から侵入した外気６は留まることなく外側通気層７ｂ内を上昇して屋根裏通気層７ｎへ流入し、屋根裏通気層７ｎの下部から親友下外気６と合流して屋根裏通気層７ｎ内を上昇して棟２ｃへ流れ、排気孔２ｇから屋外へ放出される。
【００３４】
尚、図３に示すように外壁部分の構成は、外側より外壁材７、エアーシート７ａ、外部胴縁７ｑ、耐力面材７ｃ、断熱材７ｄ、内部胴縁７ｆ、石膏ボード７ｇ、内壁仕上材７ｈとなっており、前述のように前記エアーシート７ａと耐力面材７ｃの間に外側通気層７ｂを設け、断熱材７ｄと内部胴縁７ｆの間に内側通気層７ｅが設けられている。
【００３５】
但し、上記の材料については、限定したものではなく、工法により使用する建材が変わることがあり、また同じような性質性能をもつ他の建材が使用されることがある。従って内部胴縁７ｆと同じ目的で使用する別の建材と断熱材７ｄと同じ目的で使用する別の建材の間に内側通気層７ｅを設け、外部胴縁７ｑと同じ目的で使用する別の建材とエアーシート７ａと同じ目的で使用する別の建材の間に外側通気層７ｂを設けるものとする。
【００３６】
尚、図３に示した符号７ｉは床材、７ｊは下地合板、７ｋは根太、７ｌは土台、７ｐは基礎断熱材を示している。図面上では建物２を作る際に最も重要となる建材については図示をしているが、先に述べたように工法や構造、更に使用する建材によっては図示しなかった建材を使用することもあり、逆図示した建材を使用しない場合も考えられるため、図示した建材を全て使用することを限定したものではないことを加えておく。
【００３７】
図４に示すように、前記換気装置３ａは、平行且つ等間隔に配置した複数枚の開閉パネル８ｄと、前記開閉パネル８ｄに制御ピン８ａを介して接続され温度変化により伸縮することで開閉パネルの開閉を自動制御する開閉制御機構８ｂと、前記開閉制御機構８ｂに取付けられ開閉制御機構の自動制御に代えて開閉パネルを任意に手動制御するスイッチ８ｃと、カバーを取り付けるための複数の取付孔８ｅからなる。尚、符号８は、前記換気装置３ａの枠体である。
【００３８】
前記開閉パネル８ｄ、８ｄ、８ｄは制御ピン８ａを介して開閉制御機構８ｂに接続されており、前記開閉制御機構８ｂの伸縮に伴って各開閉パネル８ｄが回動することにより開閉する。即ち、図４のように開閉パネル８ｄの面部分が前面にあり見える状態では換気装置３ａが閉じた状態であり、開閉パネル８ｄの辺部分が前面に位置して面部分が上方を向いた状態では換気装置３ａが開いた状態である。
【００３９】
前記開閉パネル８ｄが自動制御により開閉することについては、開閉パネル８ｄに接続された開閉制御機構８ｂが温度変化により伸縮する構造であるため、これに接続された開閉パネルも同時に回動して開閉をする。
【００４０】
尚、開閉パネル８ｄの自動開閉については、１２℃で閉じて２４℃で開くものや１８℃で閉じて２６℃で開くものなどがあるが、これらの温度設定に限定したものではなく、建物を建設する環境や施主の希望により変わる。
【００４１】
一方、前記開閉制御機構８ｂには上下にスライドするスイッチ８ｃが取り付けられており、前記開閉制御機構８ｂを強制的に伸縮させることにより前述の自動開閉に代えて開閉パネルを手動開閉することができる。前記スイッチ８ｃを上方にスライドした状態では、開閉パネル８ｄは閉じた状態となり、前記スイッチ８ｃを下方にスライドした状態では、開閉パネル８ｄが全開の状態となる。
【００４２】
尚、このスイッチ８ｃにはマーク片８ｆが取り付けられており、後に説明するカバー９を換気装置３ａに取り付けた際にカバー９に設けた表示窓９ｂで開閉パネル８ｄの状態を目視するために使用される。
【００４３】
また、図４に示すように、換気装置３ａには複数の取付孔８ｅが設けられており、この取付孔８ｅには後に説明するカバー９の取付突起９ｄを嵌着することができる。
【００４４】
図５に示すように、カバー９は前記換気装置３ａの開閉パネル側に取り付ける部材であり、スイッチ窓９ａ及び表示窓９ｂを設けて背面に複数の取付突起９ｄを備えた大部分が格子９ｃ状となっており、前記取付孔８ｅに取付突起９ｄを嵌着させて換気装置３ａに着脱可能に取り付ける。
【００４５】
前記スイッチ窓９ａは、換気装置３ａにカバー９を取り付けた後に前記スイッチ８ｃを操作するために設けた窓であり、表示窓９ｂはスイッチ８ｃの位置がどの状態にあるかを示すマーク片８ｆを表示するための窓である。
【００４６】
図６に示すように、基礎換気装置３ｂは、基礎２ｅに設置する基礎換気ボックス３ｃを構成する部材で、基礎２ｅに対して外側（建物２の外側）位置にある部材である。一方、基礎換気ボックス３ｃを構成する換気装置３ａは基礎換気装置３ｂの反対側、即ち基礎内２ｈ側に設置される。
【００４７】
前記基礎換気装置３ｂは、複数の通風孔１０ｆを設けた内壁１０ｂを備え、更に前記全ての通風孔１０ｆを遮るための開閉壁１０ｃを備えている。前記開閉壁１０ｃは１枚からなり、開閉壁１０ｃの下部は蝶番等の回転式連結部材を介して基礎換気装置３ｂに連結されている。開閉壁１０ｃを立てたり倒したりすることで前記通風孔１０ｆを自由に開閉することができる。
【００４８】
また、前記開閉壁１０ｃの左右面の上部には回転式のストッパ１０ｄが取り付けられており、図６（Ｂ）のようにストッパ１０ｄの平坦部１０ｇを上側に位置させている状態ではストッパ１０ｄが内壁１０ｂに係止されていないため前記開閉壁１０ｃを押し倒して通風孔１０ｆを開けることができる。
【００４９】
一方、前記ストッパ１０ｄの平坦部１０ｇを上側以外の状態とした場合は、ストッパ１０ｄが内壁１０ｂに係止されるため開閉壁１０ｃを倒すことができず通風孔１０ｆが閉じた状態となる。尚、符号１０ｅはストッパ１０ｄを回動させるための摘みを示している。
【００５０】
前述の通り基礎換気装置３ｂは基礎２ｅに対して外側に向けて設置されており、図６（Ａ）に示すように基礎換気装置カバー１０を取り付ける。前記基礎換気カバー１０は全面が網１０ａとなっており、縦横に複数の補強軸を張り巡らせている。
【００５１】
図７に示すように、前記基礎換気ボックス３ｃを設置する基礎換気ボックス取付孔２ｊは、基礎２ｅに複数設けられており、およそ２〜３ｍおきに基礎換気ボックス３ｃを取り付けることで効果的に躯体内の換気を行うことができる。
【００５２】
但し、基礎換気ボックス３ｃを設置する間隔及び数については、限定したものではなく、建物の規模や建設環境等により異なる。
【産業上の利用可能性】
【００５３】
本発明である躯体内換気システムは、無駄な電力を使用することなく効果的に建物内の換気を行い常に快適な室温を維持できるため住みやすい家を提供することができ、環境問題にも多大な貢献をもたらす。
【符号の説明】
【００５４】
１    躯体内換気システム
２    建物
２ａ  屋根
２ｂ  小屋裏
２ｃ  棟
２ｄ  部屋
２ｅ  基礎
２ｆ  天井
２ｇ  排気孔
２ｈ  基礎内
２ｉ  通気層
２ｊ  基礎換気ボックス取付孔
３    棟換気ボックス
３ａ  換気装置
３ｂ  基礎換気装置
３ｃ  基礎換気ボックス
４    ダクトファン
４ａ  吸気管
４ｂ  排気管
５    コントロールスイッチ
５ａ  温度センサースイッチ
５ｂ  センサー
６    外気
６ａ  内気
６ｂ  小屋裏内気
６ｃ  排気
７    外壁材
７ａ  エアーシート
７ｂ  外側通気層
７ｃ  耐力面材
７ｄ  断熱材
７ｅ  内側通気層
７ｆ  内部胴縁
７ｇ  石膏ボード
７ｈ  内壁仕上材
７ｉ  床材
７ｊ  下地合板
７ｋ  根太
７ｌ  土台
７ｍ  野地板
７ｎ  屋根裏通気層
７ｏ  断熱材
７ｐ  基礎断熱材
７ｑ  外部胴縁
８    枠体
８ａ  制御ピン
８ｂ  開閉制御機構
８ｃ  スイッチ
８ｄ  開閉パネル
８ｅ  取付孔
８ｆ  マーク片
９    カバー
９ａ  スイッチ窓
９ｂ  表示窓
９ｃ  格子
９ｄ  取付突起
１０  基礎換気カバー
１０ａ  網
１０ｂ  内壁
１０ｃ  開閉壁
１０ｄ  ストッパ
１０ｅ  摘み
１０ｆ  通風孔
１０ｇ  平坦部
【図１】
2011021833.tif 000003
【図２】
2011021833.tif 000004
【図３】
2011021833.tif 000005
【図４】
2011021833.tif 000006
【図５】
2011021833.tif 000007
【図６】
2011021833.tif 000008
【図７】
2011021833.tif 000009
【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
建物の屋根の棟に設けた建物内部の空気を建物外に放出する排気孔と、小屋裏の前記棟下に取り付けられ平行且つ等間隔に配置した複数枚の開閉パネル及び前記開閉パネルに制御ピンを介して接続され温度変化により伸縮することで前記制御ピンを回動させ前記開閉パネルの開閉を小屋裏の温度変化により自動制御する開閉制御機構を有する換気装置を備えた棟換気ボックスと、前記棟換気ボックス内に収納されるとともに前記排気孔を覆いかつ前記排気孔及び前記棟換気ボックス内とを連通させるスリットを有する内箱と、小屋裏に配置され前記棟換気ボックス及び内箱内に挿通され前記スリットより前記排気孔に近い位置で屋根との間に隙間を設けて先端部が位置する排気管と部屋天井に先端部が接続する吸気管及び小屋裏に先端部が位置する複数本の吸気管を備えたダクトファンと、建物の基礎に配置された複数の基礎換気ボックスと、各部屋の壁の間及び各部屋と外壁の間に設けた通気層とからなり、前記基礎内空間と小屋裏が前記通気層で接続され、
（１）前記ダクトファンが駆動していないときでかつ小屋裏が所定温度より低い場合には、前記制御ピンが前記開閉制御機構により回動し前記開閉パネルが閉じ、小屋裏及び部屋内の空気は前記排気孔から建物外に放出されることがなく、
（２）前記ダクトファンが駆動していないときでかつ小屋裏が所定温度以上の場合には、前記制御ピンが前記開閉制御機構により回動し前記開閉パネルが開き、前記基礎内空間の空気は前記通気層、前記棟換気ボックスの換気装置、スリットを通り、前記棟の排気孔から建物外に自然放出され、
（３）その上で、さらに前記ダクトファンを駆動させたときは、前記ダクトファンの吸引により前記基礎内空間、部屋内空気、小屋裏空気は前記吸気管及び排気管を通り前記排気孔から建物外に強制放出されるとともに、
（４）前記強制放出により前記内箱内に負圧が発生し、前記負圧により前記スリットから前記棟換気ボックス内の空気が内箱内に吸引され、さらに小屋裏空気が前記棟換気ボックス内に吸引され、小屋裏空気の前記排気孔から建物外への放出が促進される
ことを特徴とする躯体内換気システム。
【請求項２】
前記建物の屋根には、小屋裏側の断熱材と屋根材下の野路板との間に屋根裏通気層が形成され、前記屋根裏通気層の軒側から前記排気孔に向け外気を通すとともに、
前記外壁には、前記基礎部と前記屋根裏通気層とを連絡する外側通気層が形成され、前記基礎付近の外気を前記外側通気層、前記屋裏通気層を通し、前記排気孔から建物外に放出することを特徴とする請求項１に記載の躯体内換気システム。
【請求項３】
前記換気装置を、スイッチ窓及び表示窓を設けて背面に複数の取付突起を備えた大部分が格子状であるカバーを前記開閉パネル側に前記取付突起を開閉パネルに設けた取付孔に嵌着することで着脱可能に取付けたことを特徴とする請求項１又は請求項２に記載の躯体内換気システム。
【請求項４】
前記基礎換気ボックスを、基礎の基礎内側に設置する換気装置と基礎外側に設置する基礎換気装置とからなり、前記基礎の換気装置取付孔に２〜３ｍ間隔で複数設置したことを特徴とする請求項１乃至請求項３のいずれか１項に記載の躯体内換気システム。
【請求項５】
前記基礎換気装置を、複数の通風孔を備えた内壁及び前記通風孔を開閉するための開閉壁を備えたことを特徴とする請求項１乃至請求項４のいずれか１項に記載の躯体内換気システム。
【請求項６】
前記ダクトファンを、小屋裏に設置して小屋裏内の温度を感知するセンサーに接続した室内設置用の温度センサースイッチに連結されたコントロールスイッチと接続し、前記コントロールスイッチにより居室内から任意にダクトファンの運転、停止及び吸引力を制御可能であるとともに前記センサー及び温度センサースイッチの温度設定によりダクトファンの運転及び停止を自動制御可能であるダクトファンとしたことを特徴とする請求項１乃至請求項５のいずれか１項に記載の躯体内換気システム。
【手続補正２】
【補正対象書類名】明細書
【補正対象項目名】００３３
【補正方法】変更
【補正の内容】
【００３３】
前記外側通気層７ｂの上下端は開口しており、上端は前記屋根裏通気層７ｎの下部と連通している。従って、外側通気層７ｂの下端から侵入した外気６は留まることなく外側通気層７ｂ内を上昇して屋根裏通気層７ｎへ流入し、屋根裏通気層７ｎの下部から進入した外気６と合流して屋根裏通気層７ｎ内を上昇して棟２ｃへ流れ、排気孔２ｇから屋外へ放出される。
【手続補正３】
【補正対象書類名】明細書
【補正対象項目名】００５４
【補正方法】変更
【補正の内容】
【００５４】
１    躯体内換気システム
２    建物
２ａ  屋根
２ｂ  小屋裏
２ｃ  棟
２ｄ  部屋
２ｅ  基礎
２ｆ  天井
２ｇ  排気孔
２ｈ  基礎内
２ｉ  通気層
２ｊ  基礎換気ボックス取付孔
３    棟換気ボックス
３ａ  換気装置
３ｂ  基礎換気装置
３ｃ  基礎換気ボックス
４    ダクトファン
４ａ  吸気管
４ｂ  排気管
５    コントロールスイッチ
５ａ  温度センサースイッチ
５ｂ  センサー
６    外気
６ａ  内気
６ｂ  小屋裏内気
６ｃ  排気
７    外壁材
７ａ  エアーシート
７ｂ  外側通気層
７ｃ  耐力面材
７ｄ  断熱材
７ｅ  内側通気層
７ｆ  内部胴縁
７ｇ  石膏ボード
７ｈ  内壁仕上材
７ｉ  床材
７ｊ  下地合板
７ｋ  根太
７ｌ  土台
７ｍ  野地板
７ｎ  屋根裏通気層
７ｏ  断熱材
７ｐ  基礎断熱材
７ｑ  外部胴縁
７ｒ 屋根材
８    枠体
８ａ  制御ピン
８ｂ  開閉制御機構
８ｃ  スイッチ
８ｄ  開閉パネル
８ｅ  取付孔
８ｆ  マーク片
９    カバー
９ａ  スイッチ窓
９ｂ  表示窓
９ｃ  格子
９ｄ  取付突起
１０  基礎換気カバー
１０ａ  網
１０ｂ  内壁
１０ｃ  開閉壁
１０ｄ  ストッパ
１０ｅ  摘み
１０ｆ  通風孔
１０ｇ  平坦部
１１ 内箱
１１ａ スリット
１１ｂ 隙間
【手続補正４】
【補正対象書類名】図面
【補正対象項目名】図３
【補正方法】変更
【補正の内容】
【図３】
2011021833.tif 000010